(57)【要約】本発明の実施例によれば、大量の記憶データを転送する方法は、第１の場所におけるストレージ・エリア・ネットワーク内の複数のRAID上に大量のデータを記憶する工程を含み、各RAIDは1つ又は複数のディスク・パックを有し、上記方法は更に、記憶データ部分に対する要求を第２の場所から受領する工程と、第１の場所にある要求記憶データを少なくとも１つのディスク・パックにダウンロードする工程と、第２の場所にいるデータ要求者にディスク・パックを送る工程とを含み、該工程によって、データ要求者は、受領すると実質的にすぐデータを使い始めることができる。
2006522983.tif 000002
【特許請求の範囲】
【請求項１】
大量の記憶データを転送するシステムであって、
トランジット・ケースと、
該トランジット・ケース内に収容される複数の大容量記憶装置とを備え、
各大容量記憶装置は、少なくとも約200ギガバイトのデータを記憶することができ、
更に、前記トランジット・ケースと関連付けられる無停電電源装置を備え、
前記トランジット・ケースは、
ハウジングと、
該ハウジングから選択的に取り外し可能な前面カバーと、
前記大容量記憶装置に関連付けられ、前記トランジット・ケースの輸送中に前記大容量記憶装置が受ける衝撃負荷を減らすよう動作可能な衝撃アイソレータと、
前記前面カバーの外周に配置される封止と、
前記ハウジングに結合される複数のホイールとを備えることを特徴とするシステム。
【請求項２】
請求項1記載のシステムであって、
前記記憶データは、対象領域に関する画像データであることを特徴とするシステム。
【請求項３】
請求項1記載のシステムであって、
各大容量記憶装置は、RAIDと、JBODと、光ディスクとから成る群から選択されることを特徴とするシステム。
【請求項４】
請求項1記載のシステムであって、
各大容量記憶装置は、少なくとも1.6テラバイトの記憶容量を有するRAIDであることを特徴とするシステム。
【請求項５】
請求項4記載のシステムであって、
前記複数の大容量記憶装置は、2つ又は３つのRAIDを含み、各RAIDは少なくとも1.6テラバイトの記憶容量を有することを特徴とするシステム。
【請求項６】
請求項1記載のシステムであって、
前記大容量記憶装置は、I2Cバスによってお互いに結合されることを特徴とするシステム。
【請求項７】
請求項1記載のシステムであって、
前記トランジット・ケースは、航空輸送に用いられる、8フィートx10フィートのスチール・パレットに資するサイズを有することを特徴とするシステム。
【請求項８】
請求項1記載のシステムであって、
前記無停電電源装置は、定格が2.4KVaの汎用無停電電源装置であることを特徴とするシステム。
【請求項９】
大量の記憶データを転送するシステムであって、
トランジット・ケースと、
該トランジット・ケース内に収容される複数のRAIDとを備え、
各RAIDは、少なくとも約1.6テラバイトのデータを記憶することができ、
更に、前記トランジット・ケースと関連付けられる無停電電源装置を備え、
前記トランジット・ケースは、
略矩形のハウジングと、
該ハウジングから選択的に取り外し可能な前面カバーと、
該ハウジングから選択的に取り外し可能な背面カバーと、
前記RAIDに関連付けられ、前記トランジット・ケースの輸送中に前記RAIDが受ける衝撃負荷を減らすよう動作可能な衝撃アイソレータと、
前記前面カバーの外周に配置される第１の封止と、
前記背面カバーの外周に配置される第２の封止と、
前記ハウジングの底部に結合される複数のホイールとを備え、
前記トランジット・ケースは、航空輸送に用いられる8フィートx10フィートのスチール・パレットに資するサイズを有することを特徴とするシステム。
【請求項１０】
請求項9記載のシステムであって、
前記データは、対象領域に関する画像データであることを特徴とするシステム。
【請求項１１】
請求項9記載のシステムであって、
前記複数のRAIDは、2つ又は３つのRAIDを含むことを特徴とするシステム。
【請求項１２】
請求項9記載のシステムであって、
前記無停電電源装置は、定格が2.4KVaの汎用無停電電源装置であることを特徴とするシステム。
【請求項１３】
大量の記憶データを転送する方法であって、
第１の場所におけるストレージ・エリア・ネットワーク内の複数のRAID上に前記大量のデータを記憶する工程を備え、
前記RAIDの各々は、1つ又は複数のディスク・パックを有し、
更に、前記記憶データの一部分に対する要求を第２の場所から受領する工程と、
前記第１の場所にある前記要求記憶データを少なくとも1つのディスク・パックにダウンロードする工程と、
前記第２の場所にいるデータ要求者に前記ディスク・パックを送る工程とを備え、該工程によって、前記データ要求者は、受領すると実質的にすぐ前記データを使い始めることができることを特徴とする方法。
【請求項１４】
請求項13記載の方法であって、更に、
前記ディスク・パックを前記第２の場所で受領する工程と、
既存のディスク・パックを既存のRAIDから取り外す工程と、
前記ディスク・パックを前記既存のRAIDの中に、前記既存のディスク・パックの代わりに挿入する工程とを備えることを特徴とする方法。
【請求項１５】
請求項13記載の方法であって、
前記RAID上に前記大量のデータを記憶する工程が、２つ以上のRAIDにわたって前記大量データを記憶する工程を備えることを特徴とする方法。
【請求項１６】
請求項13記載の方法であって、
前記記憶データが、対象領域に関する画像データであることを特徴とする方法。
【請求項１７】
大量の記憶データを転送するシステムであって、
前記大量のデータを記憶する第１の場所における第１の大容量記憶装置群と、
前記大容量記憶装置に結合されるコンピュータとを備え、
該コンピュータは、前記第１の場所にある前記記憶データの一部分をハードウェア装置に、前記記憶データの前記一部分に対する要求が第２の場所から受領される場合にダウンロードするよう動作可能なソフトウェアを有し、
更に、前記ハードウェア装置を第２の場所に送るよう構成される輸送装置と、
前記第２の場所にある第２の大容量記憶装置群とを備え、該第２の群の各大容量記憶装置は、該大容量記憶装置上に記憶されるデータを、結合すると実質的にすぐに利用できるよう前記ハードウェア装置を受け入れるよう形成されることを特徴とするシステム。
【請求項１８】
請求項17記載のシステムであって、
前記第１の大容量記憶装置群も前記第２の大容量記憶装置群も、お互いに互換性を有するRAIDを備えることを特徴とするシステム。
【請求項１９】
請求項18記載のシステムであって、
前記記憶データは、第１のRAID群のうちの2つ以上のRAIDにわたって記憶されることを特徴とするシステム。
【請求項２０】
請求項17記載のシステムであって、
前記輸送装置は、搬送ケースとトランジット・ケースとから成る群から選択されることを特徴とするシステム。
【請求項２１】
請求項17記載のシステムであって、
前記第２の大容量記憶装置群は、携帯型ストレージ・エリア・ネットワークを備えることを特徴とするシステム。
【請求項２２】
請求項17記載のシステムであって、
前記第１の大容量記憶装置群は、ディジタル点精度データベース（DPPDB）を備えることを特徴とするシステム。
【請求項２３】
請求項17記載のシステムであって、
前記記憶データの前記一部分は、対象領域に関する画像データであることを特徴とするシステム。
【発明の詳細な説明】
【技術分野】
【０００１】
本発明は、一般的に大量のデータの記憶に関し、特に、プラグ・アンド・プレイの機能を行うよう、大量の記憶データを転送するシステム及び方法に関する。
【背景技術】
【０００２】
軍事企業や大企業などの多くの法人は、膨大な量のデータを必要とすることが多い。更に、この膨大な量のデータは、別の場所に搬送する必要がある場合がある。例えば、軍事基地は、場所を切り替え、新たな場所の画像データを必要とする場合がある。
【発明の開示】
【発明が解決しようとする課題】
【０００３】
新たな画像データは8mmテープ上にダウンロードされ、新たな場所に発送される。８mmテープは更に、新たな場所にある記憶装置にダウンロードされ、それは、新たな情報に必要な記憶容量が理由で、終えるのに何日も要することが多い。このことによって、かなりの時間が浪費され、更に、言うまでもなく、非常に重要な時間が浪費される。
【０００４】
別の例としては、大企業が1つの場所に膨大な量のデータを記憶するストレージ・エリア・ネットワークを有し、このデータを別の場所に移す必要がある場合がある。ストレージ・エリア・ネットワークは分解され、もう一度組み立てるよう新たな場所に、ばらばらの状態で発送される。このことも、時間及びお金をかなり浪費する。
【課題を解決するための手段】
【０００５】
本発明の実施例によれば、大量の記憶データを転送する方法は、第１の場所におけるストレージ・ネットワーク内の複数のＲＡＩＤ上に大量のデータを記憶する工程を備え、各ＲＡＩＤは、1つ又は複数のディスク・パックを有し、上記方法は更に、記憶データ部分に対する要求を第２の場所から受領する工程と、第１の場所にある要求記憶データを少なくとも１つのディスク・パックにダウンロードする工程と、第２の場所にあるデータ要求者にディスク・パックを送る工程とを備え、それによって、データ要求者は受領すると実質的に直ちにデータを使い始めることができる。
【０００６】
本発明の別の実施例によれば、大量の記憶データを転送するシステムは、トランジット・ケースと、トランジット・ケース内に収容される複数の大容量記憶装置とを備え、各大容量記憶装置は、少なくとも約200ギガバイトのデータを記憶することができ、上記システムは、更に、トランジット・ケースに関連付けられる無停電電源装置を備える。一実施例では、トランジット・ケースは、ハウジングと、ハウジングから選択的に取り外すことができる前面カバーと、大容量記憶装置に関連付けられ、トランジット・ケースの輸送中に大容量記憶装置が受ける衝撃負荷を減らすよう動作可能な衝撃アイソレータと、前面カバーの外周に配置される封止と、ハウジングに結合される複数のホイールとを備える。
【０００７】
本発明の実施例は、いくつかの技術的効果を備える。本発明の実施例は、これらの効果の全部又は一部を備える場合があり、これらの効果を何ら備えない場合もある。１つの技術的効果としては、単に、要求データの「プラグイン」を行って、長いダウンロードを全くなくすようにすることによって、直ちに用いるよう、第１の場所に発送し得る大容量記憶装置に第１の場所からの大量の要求データを中央の場所でダウンロードし得るということがある。この「プラグ・アンド・プレイ」機能を有していることは、データ量が非常に大きい場合が多く、基地が即座に移される可能性がある軍事アプリケーションにおいて特に重要である。一実施例では、ＲＡＩＤ（独立ディスク冗長アレイ）を用いることによって、データ喪失がかなり削減される。一実施例では、携帯型ストレージ・エリア・ネットワークを利用して、大量のデータを別の場所に搬送し得る。固定据付用のストレージ・エリア・ネットワークは、輸送用に企図され、構築されたトランジット・ケースに膨大な量のデータを記憶する機能を有する1つ又は複数の大容量記憶装置を備えることによって携帯可能にし得る。
【０００８】
本発明の一実施例によるトランジット・ケースは、外国にある軍事基地などの現場における要員によって直ちに用いることが可能な大量のデータの運搬性を向上させる。すなわち、本発明の実施例は、重要なデータについてプラグ・アンド・プレイ機能を備える。これによって、達成するのに数日ではないものの何時間もかかり得る、複数の8mmテープからの情報のダウンロードを行う際の時間の浪費がなくなる。本発明の実施例によるトランジット・ケースは、中にあるデータを衝撃負荷及び振動負荷から保護するよう衝撃アイソレータを有し、中にあるデータを何れかの劣悪な環境から保護するよう封止を有し、高高度での航空移動に対処するよう圧力リリーフ弁を有することによって航空移動用に構築されている。トランジット・ケースは、移動性を高めるよう、それに関連付けられたホイールを有する場合もある。更に、トランジット・ケースは、航空移動用パレットとの互換性を有するサイズに作られている。
【発明を実施するための最良の形態】
【０００９】
他の技術的効果は、添付図面、明細書及び特許請求の範囲から当業者に容易に明らかである。
【００１０】
本発明のより良い理解は、添付図面とともに検討される、以下の詳細説明によって得られる。
【実施例】
【００１１】
図1は、本発明の一実施例による、大量の記憶データを転送するシステム100の略図である。図示した実施例では、システム100は、送り側102、輸送装置104及び受け側106
を備える。一般的に、送り側102は、データが記憶されている場所であり、受け側106はデータを送る対象の場所である。輸送装置104は、データを送り側102から受け側106に送る手段である。これらの構成要素は各々、以下に更に詳細に説明する。
【００１２】
送り側102は、データが記憶されている場所である。データは多くの別々の物理的な場所に記憶可能であるが、説明を容易にするよう、データは本明細書及び特許請求の範囲では、１つの物理的な場所にあるものとして説明している。送り側102は、ストレージ・エリア・ネットワーク108と、サーバ110と、ハブ114を介してサーバ110に結合される複数のワークステーション112とを備える。
【００１３】
ストレージ・エリア・ネットワーク108は、データを記憶する複数の大容量記憶装置116を備える。大容量記憶装置116は、何れかの適切なデータを記憶し得る。例えば、軍事アプリケーションでは、大容量記憶装置116は、対象領域（「ＡＯＩ」）に関する画像データを記憶し得る。特定の実施例では、このＡＯＩは、米国画像地理局（「NIMA」）にあるディジタル点精度データベース（「DPPDB」）からのものである。商用の例として、大容量記憶装置116は、特定の自動車を生産するようフォード社やゼネラル・モータース社などの大企業によって用いられる高度なCAD/CAMソフトウェアに用いられるデータを記憶し得る。いずれにせよ、大容量記憶装置116は、膨大な量のデータを記憶するよう機能する何れかの適切な大容量記憶装置であり得る。
【００１４】
一実施例における大容量記憶装置116の各々は、１テラバイト以上のデータを記憶する。特定の実施例では、各大容量記憶装置116は、少なくとも1.6テラバイトのデータを記憶する。例として、大容量記憶装置116には、膨大な量のデータを記憶するよう機能する、RAID（「独立ディスク冗長アレイ」）、JBOD（「単純ディスク束」）、光ディスク、ソリッド・ステート・レコーダや何れかの他の適切な記憶媒体があり得る。RAIDがデータをどのようにして記憶するかという特性が理由で、RAIDを用いることが好ましい。通常、各RAIDは複数のディスク・ドライブを備え、ディスク・ドライブのうちの１つのドライブ上のデータを喪失した場合、別のディスク・ドライブから取り戻すことができるようにデータがディスク・ドライブに上書きされる。一実施例では、特定のRAIDは、複数のディスク・ドライブを収容する複数のディスク・パックを備える。
【００１５】
特定の実施例では、ストレージ・エリア・ネットワーク108は、大容量記憶装置116に加えて、1つ又は複数の大容量記憶装置116をそれ自体が収容し、汎用無停電電源装置120も含む携帯型ストレージ・エリア・ネットワーク118も含み得る。図3とともに更に詳細に説明する携帯型ストレージ・エリア・ネットワーク118はそれ自体が、以下に更に説明するトランジット・ケース104bを介して搬送可能である。
【００１６】
ストレージ・エリア・ネットワーク108に接続されるのはサーバ110である。サーバ110は、大容量記憶装置116から、大容量記憶装置116の特定のディスク・パック、単一の大容量記憶装置116、又は携帯型ストレージ・エリア・ネットワーク118に関連付けられる大容量記憶装置116へのデータのダウンロードを制御するよう動作可能なソフトウェアを備える何れかの適切な計算装置であり得る。何れかの適切なソフトウェアを利用してデータのダウンロードを制御し得る。例として、AOIデータが大容量記憶装置116上に記憶されている軍事的環境では、ノースロップ・グラマン社によるレインドロップ（商標）などの適切なソフトウェア・プログラムを利用し得る。サーバ110上で利用されるタイプのソフトウェアは、大容量記憶装置116上にデータを記憶するのに用いる特定のディクトリ構造などの多くの要因によって変わってくる。
【００１７】
一実施例では、サーバ110はパソコンであり得る。しかし、図示した実施例では、サーバ110上にインストールされたソフトウェアのユーザは、ワークステーション112のうちの１つを用いる。ワークステーション112は通常、パソコンであるが、ワークステーション112は、サーバ110上に記憶されているソフトウェアをアクセスして、特定のデータがダウンロードされるよう命令することができる何れかの適切なタイプの計算装置であり得る。ワークステーション112が何れかの適切な方法においてサーバ110に直結する場合があり、ワークステーション束112が、ローカル・エリア・ネットワーク、ワイド・エリア・ネットワークなどの何れかの適切なネットワークに関連付けられる何れかの適切なアクティブ・ハブ又はパッシブ・ハブであり得るハブ114を介してサーバ110に結合される場合もある。
【００１８】
大容量記憶装置116から特定データをダウンロードする動作を簡単に説明すれば、ワークステーション112に関連付けられるユーザは、特定のAOIなどのデータ部分に対する、受け側116にいるユーザからの要求を受領する。ワークステーション112のユーザは更に、要求データを位置特定し、1つ又は複数の大容量記憶装置116に関連付けられる1つ又は複数のディスク・パックにダウンロードするためにサーバ110上でソフトウェアを実行する。ダウンロードの完了後、大容量記憶装置116用の特定のディスク・パックを更に、取り外し、輸送装置104を介して受け側106に送り得る。
【００１９】
輸送装置104は、ディスク・パックなどのハードウェア装置に記憶されているダウンロード・データを受け側116に物理的に送るよう機能する。一実施例では、輸送装置104は、ハードウェア装置を受け側106に送るよう構成される何れかの適切な搬送ケースであり得る搬送ケース104aを含む。例えば、搬送ケース104aは、ディスク・パックや他の記憶装置を安全でかつ信頼できる方法で梱包するよう何れかの適切なフォームを有する何れかの適切なプラスチック・ケースを含み得る。
【００２０】
別の実施例では、輸送装置104は、トランジット・ケース104bを含む。図3とともに以下に更に詳細に説明するトランジット・ケース104bは更に、ハードウェア装置上のダウンロード・データを受け側106に送るよう機能する。しかし、トランジット・ケース104bは、搬送ケース104aよりも通常は大きく、航空輸送用に通常は企図される。よって、トランジット・ケース104bは、航空輸送に用いる通常のパレット122のサイズに合うようなサイズに通常は作られる。更に、トランジット・ケース104bは、衝撃負荷及び振動負荷と、圧力変動とをはじめとする環境条件からその中にあるハードウェア装置を保護するよう企図されている。他の適切な輸送装置及び輸送方法を用いて、送り側102から受け側106へデータを物理的に転送し得る。
【００２１】
受け側106は、データを要求する何れかの適切な受け側である。例えば、軍事的環境では、受け側106は、AOIに関する情報を要求する軍事基地を含み得る。商用の環境では、受け側106は、特定の物理的な場所にある自動車製造工場であり得る。図示した実施例では、受け側106は、データを記憶するよう機能する複数の大容量記憶装置124を含む。大容量記憶装置124は通常、送り側102にある大容量記憶装置116と同じタイプの記憶装置である。しかし、大容量記憶装置124は、大容量記憶装置116とは異なり得る。大容量記憶装置124が大容量記憶装置116との互換性を有することが好ましいが、それは、特定の大容量記憶装置116のディスク・パックは、受け側106で送り側102から受領される場合、単に、「プラグイン」され、実質的にすぐ利用される準備が整っている場合があるからである。この「プラグ・アンド・プレイ」機能は、軍事アプリケーションにおいて特に重要である。
【００２２】
大容量記憶装置124は、1つ又は複数の携帯型ストレージ・エリア・ネットワーク126に関連付けられ得る。携帯型ストレージ・エリア・ネットワーク126は、送り側102にある携帯型ストレージ・エリア118と同じであり得る。しかし、携帯型ストレージ・エリア・ネットワーク126は、受け側106に既に存在し得る。各携帯型ストレージ・エリア・ネットワーク126には１つ又は、任意の数の大容量記憶装置124が関連付けられる場合があり、受け側106には1つ又は複数の携帯型ストレージ・エリア・ネットワーク126が関連付けられる場合がある。図1に示していないが、受け側106は、受け側106にいる要員がデータを利用し得るように、大容量記憶装置124から情報を抽出することができる何れかの適切な数の計算装置及び関連したソフトウェアを含む。
【００２３】
本発明の技術的効果の１つとして、送り側102からの大量のデータを、大容量記憶装置116に関連付けられるディスク・パック上にダウンロードし、単に、要求されたものを「プラグイン」することによって、すぐに用いるよう受け側106に搬送し、それによって、8mmテープの長いダウンロードが何らないようにし得るという点がある。8mmテープのダウンロードは、データが使用可能になるまでに何日もかかり得る。このことは、特に軍事的環境では、かなり重要な時間の浪費になる。この「プラグ・アンド・プレイ」機能は、データ量が非常に大きいことが多く、軍事基地が即座に移され得る軍事アプリケーションにおいて特に重要である。本発明の一実施例の別の重要な効果としては、受け側106で携帯型ストレージ・エリア・ネットワーク126を用いることによって、データを場所間で比較的簡単に移すことが可能であるという点がある。このことは、図3とともに以下に更に詳細に説明する。
【００２４】
図2は、本発明の一実施例による、大量の記憶データを転送する方法を示す流れ図である。方法は工程200から始まり、工程200では、大量のデータが、送り側102にあるストレージ・エリア・ネットワーク108に関連付けられる複数の大容量記憶装置116上に記憶される。工程202では、データ部分に対する要求が受け側106から受領される。その後、工程204で、要求データが送り側102で少なくとも1つのディスク・パックにダウンロードされる。上記の通り、要求されるデータの量によって、データを1つ又は複数の記憶装置116にダウンロードし得る。
【００２５】
特定のディスク・パックなどの、要求データがダウンロードされるハードウェア装置は、更に、工程206によって表すように、受け側106にいるデータ要求者に送られる。工程208では、ディスク・パックや他のハードウェア装置が受け側106で受領される。工程210によって表すように、新たなデータをインストールする前に、既存のディスク・パックが受け側106にある既存の大容量記憶装置124から取り外される。その後、新たなディスク・パックが、既存の大容量記憶装置124に、たった今取り外された既存のディスク・パックのかわりに挿入される。要求データは更に、工程214によって表すように実質的にすぐに利用し得る。実質的にすぐに、とは、システムが、現在の「数日」以内、よりも効果的な、「数分」以内に稼動状態にあり、完全にミッション可能な状態にあるということを意味する。これによって、図2に概説した方法が終了する。
【００２６】
図3は、本発明の一実施例による携帯型ストレージ・エリア・ネットワーク300の斜視図である。携帯型ストレージ・エリア・ネットワーク300は、図1の携帯型ストレージ・エリア・ネットワーク118又は126の例である。図示した実施例では、携帯型ストレージ・エリア・ネットワーク300は、複数の大容量記憶装置304と汎用無停電電源装置306とを収容するトランジット・ケース302を含む。本発明の一実施例の教示によれば、携帯型ストレージ・エリア・ネットワーク300は、携帯可能なストレージ・エリア・ネットワークである。すなわち、従来のストレージ・エリア・ネットワークは固定据付用のみで企図されている一方、携帯型ストレージ・エリア・ネットワーク300は、受け側106などの受け側に発送され、すなわち送られ、プラグインされ、実質的にすぐ利用される準備が整っている場合があるように携帯可能であるものとして企図される。従来のストレージ・エリア・ネットワークでは、ストレージ・エリア・ネットワークは、分解し、ばらばらの状態で受け側に発送し、更にもう一度組み立てなければならないことになり、これは、かなりの時間の浪費になる。携帯型ストレージ・エリア・ネットワーク300の携帯性は主に、トランジット・ケース302によって主に高められる。
【００２７】
図示した実施例では、トランジット・ケース302は、ハウジング308と、前面カバー310と、収納ラック312と、複数の衝撃アイソレータ314と、封止316と、複数のホイール318とを備える。別の実施例では、トランジット・ケース302は、背面カバー320も有する。
【００２８】
図示した実施例では、ハウジング308は、形状が略矩形である。しかし、ハウジング308は、大容量記憶装置304及び汎用無停電電源装置308を収容するのに適した何れかの形状を有し得る。ハウジング308は、何れかの適切なサイズを有し得る。しかし、携帯型ストレージ・エリア・ネットワーク300を飛行機で海外に搬送するために、ハウジング308は通常、航空輸送に用いられる標準の8フィート(240cm)x10フィート（300mm）のスチール・パレットに資するサイズを有する。ハウジング308は、プラスチック、複合材料や他の適切な材料などの何れかの適切な材料からも形成し得る。
【００２９】
前面カバー310は、何れかの適切な方法を介してハウジング308から選択的に取り外し可能である。例えば、前面カバー310は、何れかの適切な締め具を用いてハウジング308上にボルト止めを行い得る。特定の実施例では、前面カバー310は、何れかの適切な数のちょうつがい311を介してハウジング308に蝶番で接続される。カバー310は、前面カバー310をハウジング308にしっかり留める際に周囲からハウジング308の中身を封止するために、その周辺に封止316を配置させている場合もある。別の実施例では、封止316に対向する封止がハウジング308の外周上に存在する場合もある。
【００３０】
収納ラック312は、ハウジング308の内側に何れかの適切な方法で結合される何れかの適切な収納ラックであり得る。収納ラック312は、大容量記憶装置304を受け入れるよう機能する。例えば、大容量記憶装置304を収納ラック312におけるグルーブ内に、滑るように動かし、何れかの適切な方法でしっかり留め得る。別の実施例では、大容量記憶装置304は、何れかの適切な方法を用いてハウジング308の内部にしっかり取り付けられる。
【００３１】
収納ラック312と大容量記憶装置304との間には、輸送中に大容量記憶装置304が受ける何れかの衝撃負荷又は振動負荷を減らすよう機能する衝撃アイソレータ314がある。一実施例では、衝撃アイソレータ314は、ＤｏＤ（米国防総省）7000-1及び7000-2、並びに米陸軍規則70-1の、「全天候」及び「全環境」の要件を満たすよう企図されている。何れかの適切な衝撃アイソレータを利用し得る。しかし、一実施例では、適切なラバーマウントが利用され、このラバーマウントは何れかの適切な方法で収納ラック312に結合される。
【００３２】
ホイール318は、携帯型ストレージ・エリア・ネットワーク300の重量を支える手助けをし、それによって、携帯型ストレージ・エリア・ネットワーク300の動きやすさを高め、例えば、３名の要員によって持ち上げることから２名以下の要員によって持ち上げることに携帯型ストレージ・エリア・ネットワーク300を持ち上げることを、場合によっては緩和するよう機能する何れかの適切なホイールである。図示した例では、ホイール318は、ハウジング308の底部に結合されるものとして示している。しかし、ホイール318は、ハウジング308の側部などの他の適切な箇所にも結合させ得る。何れかの適切な数のホイールを利用し得る。特定の実施例では、ホイール318は、ハウジング308の底部上に配置されるキャスターである。
【００３３】
一実施例では、ハウジング308は、前面カバー310に加えて、大容量記憶装置304の背面へのアクセスを可能にする背面カバー320も含む。背面カバー320は、何れかの適切な方法でハウジング308に結合し得るものであり、又、封止316と同様に機能するよう、その外周に封止を配置させているという点で前面カバー310と同様であり得る。
【００３４】
汎用無停電電源装置306は、何れかの適切な容量を有する何れかの適切な電源であり得る。一実施例では、汎用無停電電源装置306は、2.4kVaの容量を有する。汎用無停電電源装置306は、ハウジング308内に配置されるものとして示しているが、別の実施例では、汎用無停電電源装置306は、携帯型ストレージ・エリア300とは別個に発送され、何れかの適切な方法でハウジング308の外側に取り付けられる。
【００３５】
携帯型ストレージ・エリア・ネットワーク300は、２つの大容量記憶装置304を有するものとして図3に示しているが、何れかの適切な数の大容量記憶装置304をハウジング308内に配置し得る。しかし通常は、2名又は3名の要員によって取り扱うことが容易なレベルに携帯型ストレージ・エリア・ネットワークの重量を維持するよう、大容量記憶装置304は2つ又は３つのみが利用される。別の携帯型ストレージ・エリア・ネットワーク300は、記憶することが必要なデータ量に応じて利用し得る。2つ以上の携帯型ストレージ・エリア・ネットワークが、受け側106などの受け側で利用される場合、これらの更なる携帯型ストレージ・エリア・ネットワーク300を、お互いが隣接するように配置してもよく、（図1に示すように）スタック構成でお互いが上下にくるように配置してもよい。この実施例では、汎用無停電電源装置306は、2つ以上の携帯型ストレージ・エリア・ネットワーク300をサポートすることができる。
【００３６】
本発明の実施例及びその効果の一部を詳細に説明したが、当業者は、本特許請求の範囲記載の本発明の技術思想及び範囲から逸脱することなく、種々の改変、追加及び割愛を行うことができる。
【図面の簡単な説明】
【００３７】
【図１】本発明の一実施例による、大量の記憶データを転送するシステムの略図である。
【図２】本発明の一実施例による、大量の記憶データを転送する方法を示す流れ図である。
【図３】本発明の一実施例による携帯型ストレージ・エリア・ネットワークの斜視図である。
【図１】
2006522983.tif 000003
【図２】
2006522983.tif 000004
【図３】
2006522983.tif 000005
【国際調査報告】
2006522983.tif 000006
2006522983.tif 000007
2006522983.tif 000008